(57)【特許請求の範囲】
【請求項１】
スクイズ可能な胴部の内側に内容液を収容可能な収容空間を有する容器本体の口部に装着されるキャップ本体と、
該キャップ本体の内側に配置される中栓とを備える注出キャップであって、
前記中栓は、前記キャップ本体に設けた注出口から前記収容空間に向けて延在する内部通路を区画形成する筒状体を有し、
該筒状体は、前記内部通路と前記収容空間とをつなぐ孔部を有する周壁と、該周壁の前記収容空間側の端部に設けられ、内部通路側に開口する凹状の液溜め部を構成する底壁とを有し、該筒状体の内側には、前記底壁側の第１位置と前記注出口側の第２位置との間で前記周壁の軸線に沿って移動可能な移動弁体が配置され、
該移動弁体は、前記第１位置において該移動弁体の一部が前記液溜め部の内側に配置され、前記第２位置において前記収容空間から前記注出口への内容液の流入を阻止することを特徴とする注出キャップ。
【請求項２】
前記移動弁体は、前記底壁側の端面に形成された凹部を有する、請求項１に記載の注出キャップ。
【請求項３】
前記移動弁体は、前記底壁側に設けられた円環状の端面を有し、
前記第１位置において該円環状の端面が前記液溜め部の内側に配置される、請求項１又は２に記載の注出キャップ。
【請求項４】
前記移動弁体は、上下反転させて前記筒状体に配置可能な対称形状である、請求項１〜３の何れか一項に記載の注出キャップ。
【請求項５】
前記中栓は、前記キャップ本体に設けた被嵌合部に対して嵌合し、前記キャップ本体に対して該中栓を抜け止め保持可能とする嵌合部を有する、請求項１〜４の何れか一項に記載の注出キャップ。
【請求項６】
請求項１〜５の何れか一項に記載の注出キャップを、スクイズ可能な胴部を有する容器本体の口部に装着してなる注出容器。
【発明の詳細な説明】
【技術分野】
【０００１】
本発明は、内容液を収容する容器本体の口部に装着される注出キャップに関し、特には、容器本体の胴部をスクイズすることにより注出口から内容液を注出させる注出キャップに関するものである。
【背景技術】
【０００２】
従来、例えば化粧料、食品調味料、又は洗口剤等の内容液を収容した容器本体の口部に装着され、容器を傾けて内容液を注出口から注出する注出キャップが知られている（特許文献１参照）。
【０００３】
このような、容器を傾けるだけで液体を注出する自重注出式の容器に用いる注出キャップにおいて、内容液を毎回略一定量で注出することができるようにするため、注出キャップの内側に、筒状体の内部で移動する球状の移動弁体を設けた注出キャップが提案されている（特許文献２参照）。
【０００４】
特許文献２の注出キャップにおいては、容器本体を起立姿勢から傾けていくと、内容液がその自重によって注出口から注出され、また、起立姿勢においては筒状体の底壁に保持されていた移動弁体が自重により注出口に向けて移動して内容液の流路を塞ぐことで、内容液の注出が停止される。すなわち、当該注出キャップにあっては、移動弁体が筒状体の内部の通路を移動する間のみ内容液が注出口から注出されるため、一定量の内容液を注出することができる。
【先行技術文献】
【特許文献】
【０００５】
【特許文献１】特開平９−１６９３５５号公報
【特許文献２】特開２０１５−３０４８８号公報
【発明の概要】
【発明が解決しようとする課題】
【０００６】
ところで特許文献２の注出キャップは、容器を傾けるだけで液体を注出する自重注出式の容器を前提としたものである。このような注出キャップを、容器本体の胴部を圧搾（スクイズ）することにより内容液を押し出して注出する形式の容器本体に適用しようとした場合、容器本体をスクイズする前に容器を傾けることで、移動弁体が注出口側に移動して内容液の流路を塞いでしまい、スクイズしても所期した量の内容液を吐出することができないという虞があった。
【０００７】
それゆえ、本発明は、スクイズ可能な胴部を有する容器本体の口部に装着され、内容液を略一定量で注出可能とする注出キャップ、及び当該注出キャップを備えた注出容器を提供することを目的とする。
【課題を解決するための手段】
【０００８】
本発明は上記課題を解決するためになされものであり、本発明の注出キャップは、スクイズ可能な胴部の内側に内容液を収容可能な収容空間を有する容器本体の口部に装着されるキャップ本体と、
該キャップ本体の内側に配置される中栓とを備える注出キャップであって、
前記中栓は、前記キャップ本体に設けた注出口から前記収容空間に向けて延在する内部通路を区画形成する筒状体を有し、
該筒状体は、前記内部通路と前記収容空間とをつなぐ孔部を設けた周壁と、該周壁の前記収容空間側の端部に設けられ、内部通路側に開口する凹状の液溜め部を構成する底壁とを有し、該筒状体の内側には、前記底壁側の第１位置と前記注出口側の第２位置との間で前記周壁の軸線に沿って移動可能な移動弁体が配置され、
該移動弁体は、前記第１位置において該移動弁体の一部が前記液溜め部の内側に配置され、前記第２位置において前記収容空間から前記注出口への内容液の流入を阻止することを特徴とするものである。
【０００９】
前記移動弁体は、前記底壁側の端面に形成された凹部を有することが好ましい。
【００１０】
また、本発明の注出キャップにあっては、前記移動弁体は、前記底壁側に設けられた円環状の端面を有し、
前記第１位置において該円環状の端面が前記液溜め部の内側に配置されることが好ましい。
【００１１】
また、本発明の注出キャップにあっては、前記移動弁体は、上下反転させて前記筒状体に配置可能な対称形状であることが好ましい。
【００１２】
また、本発明の注出キャップにあっては、前記中栓は、前記キャップ本体に設けた被嵌合部に対して嵌合し、前記キャップ本体に対して該中栓を抜け止め保持可能とする嵌合部を有することが好ましい。
【００１３】
また、本発明の注出容器は、上記の何れかの注出キャップを、スクイズ可能な胴部を有する容器本体の口部に装着したものである。
【発明の効果】
【００１４】
本発明によれば、スクイズ可能な胴部を有する容器本体の口部に装着され、内容液を略一定量で注出可能とする注出キャップ、及び当該注出キャップを備えた注出容器を提供することができる。
【図面の簡単な説明】
【００１５】
【図１】本発明の一実施形態である注出キャップを備える注出容器を示す図であり、起立姿勢の注出容器を側面視にて断面で示している。
【図２】（ａ）は、容器本体の胴部をスクイズした際の移動弁体の様子を示した断面図であり、（ｂ）は、容器本体の胴部に対するスクイズを解除した後の移動弁体を示したものである。
【図３】図１の注出容器を傾倒姿勢に変位させた状態を示す断面図である。
【図４】図１の注出容器を傾倒姿勢に変位させて容器本体の胴部をスクイズした様子を示す断面図である。
【発明を実施するための形態】
【００１６】
以下、図面を参照して、本発明をより具体的に説明する。図１に示すように、本発明の一実施形態である注出キャップ１は容器本体１０の口部１１に装着されて注出容器を構成する。詳細は図示しないが、容器本体１０は例えば円筒状の口部１１と、口部１１に連なるスクイズ可能な胴部１２を有し、内部を内容液の収容空間Ｍとするボトル形状のものとすることができる。なお、本願明細書、特許請求の範囲、要約書、及び図面において「上」方向、「下」方向とはそれぞれ、図１に示すように容器本体１０を起立姿勢とした場合の鉛直上向き、鉛直方向下向きを指すものとする。
【００１７】
図１に示すように、本実施形態の注出キャップ１は、キャップ本体２と、中栓３と、移動弁体４とを備える。
【００１８】
キャップ本体２は、口部１１の外周を取り囲む円筒状の外周壁２１と、外周壁２１の上部に連なり、注出口２２が形成された天壁２３とを有する。外周壁２１の内周面には、口部１１の雄ねじ部１１ａに係合する雌ねじ部２１ａを設けている。
【００１９】
天壁２３には、上方に起立する筒状の筒状壁２４と、筒状壁２４の上部から内側に延びる上壁２５と、上壁２５から上方に膨出するドーム状の膨出部２６とが設けられており、膨出部２６に注出口２２が形成されている。天壁２３の下面側には、外周壁２１との間に環状の溝部２７ａを形成する環状壁２７が設けられている。
【００２０】
キャップ本体２には、外周壁２１に一体に連結するヒンジ２８を介して、蓋体５を一体に連結している。蓋体５は、キャップ本体２の外周壁２１に連なる外壁５１と、外壁５１の上部に連なる頂壁５２を備えていて、頂壁５２の下面には、膨出部２６の外面に対して液密に当接するシール筒５３が設けられている。また外壁５１において、軸線Ｏを挟んでヒンジ２８と反対側には、蓋体５を開く際に指掛かりとなる指掛け部５４が設けられている。
【００２１】
中栓３は、容器本体１０の軸線Ｏに沿って延在する円筒状の筒状体３１を備えていて、その内側に内部通路３２を区画形成している。筒状体３１は、中央に貫通孔３３ａが形成された環状の底壁３３と、底壁３３の外縁部より起立する周壁３４と、底壁３３の内縁部より僅かに上方に突出する環状凸部３５とを有し、底壁３３、周壁３４、及び環状凸部３５によって、内部通路３２側に開口する凹状の液溜め部３６が区画形成されている。また、周壁３４には、内容液の収容空間Ｍと内部通路３２とをつなぐ孔部３４ａが設けられている。なお、本実施形態においては、周方向に間隔をあけて複数の孔部３４ａが、周壁３４の上端から切欠き溝状に形成されているが、孔部３４ａの形状や位置や数はこれに限定されるものではない。
【００２２】
筒状体３１には、径方向外側に向けて延在するフランジ３７が一体に連結されており、フランジ３７の外縁部には、外周壁２１の内周面に設けた凸部２９（被嵌合部）に嵌合する嵌合凸部３８（嵌合部）が設けられている。また、フランジ３７には、収容空間Ｍと孔部３４ａを連通させる連通孔３７ａが形成されている。フランジ３７の下面には、口部１１の内周面をシールする環状の下側シール壁３９ａが設けられ、フランジ３７の上面には、溝部２７ａに差し込まれ、環状壁２７の外周面をシールする上側シール壁３９ｂが設けられている。
【００２３】
中栓３は、外周壁２１の内周面に設けた凸部２９と嵌合凸部３８との嵌合により、キャップ本体２に対して抜け止め保持される構成としている。このため、注出キャップ１を容器本体１０の口部１１に装着する際に、予め中栓３をキャップ本体２に組み付けた状態でキャップ本体２を口部１１に螺着することができ、組み付け作業が容易となる。また、容器本体１０に装着していない状態でも、中栓３をキャップ本体２に組み付けておけば、移動弁体４が抜け出すことがないため、移動弁体４を紛失する虞がなく、また、キャップ本体２に中栓３及び移動弁体４を一体化することで、運搬や保管の効率を高めることができる。
【００２４】
筒状体３１の内側には、内部通路３２を移動する移動弁体４を設けている。移動弁体４は、円柱形状の両側の端面４１ａ、４１ｂに円柱状の凹部４２ａ、４２ｂをそれぞれ形成した対称形状である。
【００２５】
移動弁体４は、図１に示すように、底壁３３側に位置する円環状の端面４１ｂが、同様に円環状の液溜め部３６の内側に配置される第１位置と、図４に二点鎖線で示すように、注出口２２側に位置する端面４１ａが上壁２５の内面に当接する第２位置との間で、周壁３４の軸線Ｏに沿って移動可能とされている。
【００２６】
移動弁体４が第１位置にある状態では、収容空間Ｍから注出口２２への内容液の流路が開放されており、第２位置にある状態では、移動弁体４によって、収容空間Ｍから注出口２２への内容液の流路が閉鎖され、注出口２２への内容液の流入が阻止される。
【００２７】
図２（ａ）は、容器本体１０の胴部１２をスクイズした際の内容液の流れを矢印で示した図である。胴部１２をスクイズすると貫通孔３３ａを介して内容液が移動弁体４の凹部４２ｂに流れ込み、移動弁体４を第２位置へ向けて移動させる。凹部４２ｂを設けたことで、内容液からの押圧力を凹部４２ｂに集中させて、当該押圧力が分散してしまうことを防ぎ、移動弁体４を軸線Ｏに沿ってスムーズに移動させることができる。なお、移動弁体４を軸線Ｏに沿って真っ直ぐに移動させる観点から、凹部４２ｂは移動弁体４の端面４１ｂの中央に配置することが好ましい。
【００２８】
移動弁体４が第２位置へ向けて移動する過程で内容液は注出口２２から注出され、第２位置に到達すると注出が停止される。
【００２９】
また、容器本体１０を傾けたり胴部１２をスクイズして内容液を注出したりすることによって、容器本体１０を起立姿勢とした状態で液溜め部３６には、図２（ｂ）に示すように内容液が溜まっており、移動弁体４の端面４１ｂは、液溜め部３６に溜まっている内容液と接している。このような状態から、図３に示すように容器本体１０を傾倒姿勢とすると、移動弁体４は自重によって第２位置側へ移動しようとするものの、液溜め部３６内の内容液が表面張力によって端面４１ｂを保持することで当該第２位置へ向けた移動が規制される。なお、表面張力による保持力を得やすくするために、端面４１ｂ及び対向する底壁３３の内面は、相互に平行で、且つ、平坦面であることが好ましい。
【００３０】
そして、図４に矢印で示すように胴部１２をスクイズすると、収容空間Ｍから貫通孔３３ａを介して内部通路３２に内容液が流入し、第２位置にむけて移動弁体４を押圧して移動を開始させる。そして、胴部１２へのスクイズを開始してから、移動弁体４が第２位置に到達するまでの間に、内容液が注出口２２から注出されることとなる。これにより、スクイズする度に、内容液を毎回略一定量で安定して注出することが可能となる。
【００３１】
すなわち、本実施形態では、胴部１２へのスクイズによって移動弁体４の移動が開始されるので、移動弁体４が第２位置まで到達するまでに注出される内容液の量を安定させることができる。
【００３２】
なお、本実施形態の注出キャップ１にあっては、移動弁体４を対称形状としたことにより、上下反転させて筒状体３１内に配置することができ、注出キャップ１のセット性を高めることができる。
【００３３】
本発明は前記実施の形態に限定されるものではなく、その要旨を逸脱しない範囲で種々
変更可能であることはいうまでもない。
【００３４】
例えば、先の実施形態では筒状体３１の周壁３４を円筒状とし、移動弁体４を円柱状としたが、これに限らず、周壁３４を断面が楕円形や多角系の筒状として、これに応じて移動弁体４を楕円柱状や多角柱状としてもよい。また、容器本体１０は、内容液の収容空間Ｍを有する減容変形自在な内層体と、当該内層体を内側に収めるスクイズ可能な外層体とを備えた二重容器としてもよい。
【符号の説明】
【００３５】
１  注出キャップ
２  キャップ本体
３  中栓
４  移動弁体
５  蓋体
１０  容器本体
１１  口部
１１ａ  雄ねじ部
１２  胴部
２１  外周壁
２１ａ  雌ねじ部
２２  注出口
２３  天壁
２４  筒状壁
２５  上壁
２６  膨出部
２７  環状壁
２７ａ  溝部
２８  ヒンジ
２９  凸部（被嵌合部）  ３１  筒状体
３２  内部通路
３３  底壁
３３ａ  貫通孔
３４  周壁
３４ａ  孔部
３５  環状凸部
３６  液溜め部
３７  フランジ
３７ａ  連通孔
３８  嵌合凸部（嵌合部）
３９ａ  下側シール壁
３９ｂ  上側シール壁
４１ａ、４１ｂ  端面
４２ａ、４２ｂ  凹部
５１  外壁
５２  頂壁
５３  シール筒
５４  指掛け部
Ｍ    収容空間
Ｏ    軸線
【図１】
0006570422.tif 000002
【図２】
0006570422.tif 000003
【図３】
0006570422.tif 000004
【図４】
0006570422.tif 000005